(57)【要約】【課題】  本発明は、簡略な構成で作業性がよく、またメンテナンス時における作業員の出入りを可能とする人通孔を備えた二重ピット、さらには設備配管の自由度を確保して生産性を向上しコストダウンにつなげる構造物の基礎構造を提供する。【解決手段】  構造物１の基礎構造４は、上部構造体３の荷重を直接地盤に伝達するべた基礎５と、べた基礎５の上面で上部構造体３を構成する柱２の柱脚部が接合される位置に配置され、べた基礎５と一体になるよう構築されている取合い部材６を備えてなる。取合い部材６は、柱２の柱脚部とべた基礎５とを接合するが、地震等の発生に伴う柱２の応力をべた基礎５にスムーズに伝達するから、地中梁を不要にしてべた基礎５と床スラブ３ａとの間に上部構造体３の底面積と同様の広さを有する一つの開放空間を形成することでき、この開放空間に二重ピット７が形成される。【選択図】  図１
2005155093.tif 000002
【特許請求の範囲】
【請求項１】
柱と床スラブを備える上部構造体を支持するべた基礎と、
該べた基礎の上面で、前記上部構造体を構成する柱との接合部に配置される取合い部材を備えてなり、
該取合い部材の直上に配置される上部構造体の前記床スラブと前記べた基礎とに挟まれた空間に二重ピットが形成されることを特徴とする構造物の基礎構造。
【発明の詳細な説明】
【技術分野】
【０００１】
本発明は、構造物の基礎構造に関する。
【背景技術】
【０００２】
従来より、病院のような水廻り機能を多数備える構造物や大容量の雨水貯留装置を必要とする構造物、また屋内に駐車場を有する構造物等には、例えば、特許文献１に示すように、上部構造体の直下に位置する領域に二重ピットを構築し、該二重ピット内に各々構造物毎で水廻り機能や通気機能、雨水貯水槽等の必要な設備を設置する場合が多い。
該二重ピットは、一般に、上部構造体の床スラブと基礎床版との間に形成され、前記上部構造体の柱脚部どうしを架け渡すように配置された地中梁には、二重ピットとして必要な有効高さに応じた大きさの梁成を確保している。
【特許文献１】特開平８−３２０１４２号公報（図１参照）
【０００３】
このような二重ピットは、スパン毎で前記地中梁によって空間が分割される構成となるから、二重ピット内のメンテナンスを考慮すると、分割された全ての空間に作業員の出入りを可能とするための人通孔を構築する必要がある。このため、人通孔として地中梁に作業員が通過できる程度の貫通孔を設ける方法や、地中梁の下にトンネルを築造する方法等が採用されている。
【発明の開示】
【発明が解決しようとする課題】
【０００４】
しかし、上述するような地中梁に貫通孔を設ける構成は、地中梁の貫通孔を形成する位置に梁貫通補強筋を配置する必要があり、地中梁の構築が煩雑になるとともに工費が増大する。また、構造条件上は地中梁の梁成を小さくできるにもかかわらず、二重ピットとしての有効高さや貫通孔に人通孔としての有効高さを確保するために梁成を大きく取る等の無駄が生じていた。
一方、地中梁の下にトンネルを設ける構成では、トンネルの築造が煩雑で工費の増大及び工期の長期化を招くだけでなく、トンネル内に水がたまりやすいことからトンネル自身のメンテナンスも必要となる等、様々な課題を生じている。
さらに、設備配管が地中梁を貫通するので配管の位置が制限されたり、貫通のための梁貫通補強筋も必要であった。
【０００５】
上記事情に鑑み、本発明は、簡略な構成で作業性がよく、またメンテナンス時における作業員の出入りを可能とする人通孔を備えた二重ピット、さらには設備配管の自由度を確保して生産性を向上しコストダウンにつなげる構造物の基礎構造を提供することを目的としている。
【課題を解決するための手段】
【０００６】
請求項１記載の構造物の基礎構造は、柱と床スラブを備える上部構造体を支持するべた基礎と、該べた基礎の上面で、前記上部構造体を構成する柱との接合部に配置される取合い部材を備えてなり、該取合い部材の直上に配置される上部構造体の前記床スラブと前記べた基礎とに挟まれた空間に二重ピットが形成されることを特徴としている。
【発明の効果】
【０００７】
請求項１記載の構造物の基礎構造によれば、上部構造体を構成する柱が取合い部材を介してべた基礎に接合されることから、地震等の発生に伴う柱の応力が取合い部材を介してべた基礎にスムーズに伝達されて底盤で処理できるため、従来より隣り合う柱脚どうしに架け渡されていた地中梁を不要とすることができ、べた基礎と床スラブとの間にスパン毎で分割されることのない広大な一空間を形成することが可能となる。
したがって、べた基礎と床スラブとの間の空間に二重ピットを形成することにより、建築設備の敷設等に適した合理的な空間として利用することが可能となる。
【０００８】
また、地中梁を不要とすることにより、基礎構造の構成が簡略で配筋や型枠作業等を大幅に軽減でき、べた基礎と床スラブとの間の空間に二重ピットを形成しても、従来において必要とされていたメンテナンス時における作業員の出入りを可能とするための人通孔等をあらためて構築する必要がなく、さらに設備配管の自由度が確保されて大幅な生産性の向上、及びコストダウンを図ることが可能となる。
【０００９】
さらに、上部構造体を免震構造とした場合には、基礎上部の床スラブに段差が無く、自身力が小さいため、本基礎構造が適している。
【発明を実施するための最良の形態】
【００１０】
本発明の構造物の基礎構造を図１から図３に示す。本発明は、べた基礎を備える構造物の基礎構造であって、上部構造体の柱脚部とべた基礎との接合に取合い部材を用いることで、従来より用いられていた隣り合う柱脚部どうしに架け渡される地中梁を不要とし、べた基礎とその直上に位置する上部構造体の床スラブとの間の空間を分割されない１つの開放空間とした上で、二重ピットとして利用するものである。
【００１１】
図１に示すように、構造物１は、柱２を備える上部構造体３と、これを支持する基礎構造４により構成されている。
該基礎構造４は、べた基礎５と取合い部材６とを備えてなり、該べた基礎５は、少なくとも前記上部構造体３と同様の底面積を有する１枚の基礎スラブよりなり、上部構造体３の荷重を直接地盤に伝達する直接基礎の１つである。また、前記取合い部材６は、鉄筋コンクリート造よりなり、前記べた基礎５の上面で上部構造体３を構成する前記柱２の柱脚部が接合される位置に配置されているとともに、べた基礎５と一体になるように構築されている。
【００１２】
一方、前記上部構造体３はこれら基礎構造４に支持されており、前記上部構造体３を構成する柱２の柱脚部が前記取合い部材６に埋設されており、つまり該取合い部材６を介して前記柱２の柱脚部と前記べた基礎５が接合されている。なお、本実施の形態において、前記柱２は鉄筋コンクリート造を用いているが必ずしもこれにこだわるものではない。
【００１３】
これら前記柱２とべた基礎５の接合に際し取合い部材６を用いる構成は、図２に示すように、一般に隣り合う柱２の柱脚部に架け渡される地中梁を不要とするものであり、柱２とべた基礎５との一体性を高めることにより軸力のみでなく、地震等の発生時に柱２の柱脚部に生じやすい曲げやせん断力等の応力を柱２からべた基礎５にスムーズに伝達することを目的としたものである。これにより、前記上部構造体３の柱２より伝達された軸力や曲げ、せん断力は、基礎構造４のべた基礎５で処理されることとなる。
【００１４】
このような構成よりなる構造物１は、前記上部構造体３に本実施例においてフラットスラブである床スラブ３ａが備えられている。これにより、図３に示すように、構造物１の基礎構造４には、前記取合い部材６の直上に位置する床スラブ３ａと前記べた基礎５との間に、前記上部構造体３と同様の面積を有する床下空間が形成され、該床下空間には、二重ピット７が形成されることとなる。
なお、該二重ピット７の有効高さは、前記取合い部材６の部材高さにより決定され、少なくとも柱２の柱脚部に生じる地震時の応力を前記べた基礎５にスムーズに伝達できる高さを備えていれば、二重ピット７に必要な有効高さに応じて適宜調整すればよい。
【００１５】
上述する構成によれば、構造物１の基礎構造は、上部構造体３を構成する柱２が取合い部材６を介してべた基礎５に接合されることから、地震等の発生に伴う柱２の応力が取合い部材６を介してべた基礎５にスムーズに伝達されて処理できるため、従来より隣り合う柱脚どうしに架け渡されていた地中梁を不要とすることができ、べた基礎５と床スラブ３ａとの間にスパン毎で分割されることのない上部構造体３の底面積と同様の広さを有する一つの開放空間を形成することが可能となる。
したがって、べた基礎５と床スラブ３ａとの間の空間に二重ピット７を形成することにより、建築設備の敷設等に適した合理的な空間として利用することが可能となる。
【００１６】
また、地中梁を不要とすることにより、基礎構造の構成が簡略で配筋や型枠作業等を大幅に軽減でき、べた基礎５と床スラブ３ａとの間の空間に二重ピット７を形成しても、従来において必要とされていたメンテナンス時における作業員の出入りを可能とするための人通孔等をあらためて構築する必要がなく、さらに設備配管の自由度が確保されて大幅な生産性の向上、及びコストダウンを図ることが可能となる。
【００１７】
さらに、上部構造体を免震構造とした場合には、基礎上部の床スラブに段差が無く、自身力が小さいため、本基礎構造が適している。
【図面の簡単な説明】
【００１８】
【図１】本発明に構造物の基礎構造における側面を示す図である。
【図２】本発明に構造物の基礎構造における平面を示す図である。
【図３】本発明に構造物の基礎構造における斜視を示す図である。
【符号の説明】
【００１９】
１  構造物
２  柱
３  上部構造体
４  基礎構造
５  べた基礎
６  取合い部材
７  二重ピット
【図１】
2005155093.tif 000003
【図２】
2005155093.tif 000004
【図３】
2005155093.tif 000005